(57)【要約】【課題】例えば、タッチスクリーンに表示された所望の表示要素とは異なる表示要素に誤って触れて表示画像が遷移しても、元の表示画像に戻さずに、所望の表示要素をより選択し易い態様にて選択させることができる。【解決手段】タッチスクリーン１１０又は他の入力手段１２０に対する所定の入力操作が成された場合に、入力操作が成されるよりも前にタッチスクリーン１１０に表示されていた表示画像に含まれる表示要素の一覧を、表示画像における表示態様よりも各表示要素を指定し易い表示態様にてタッチスクリーン１１０に表示する制御部を備える。【選択図】図１
2015095140.tif 000002
【特許請求の範囲】
【請求項１】
タッチスクリーン又は他の入力手段に対する所定の入力操作が成された場合に、前記入力操作が成されるよりも前に前記タッチスクリーンに表示されていた表示画像に含まれる表示要素の一覧を、前記表示画像における表示態様よりも各表示要素を指定し易い表示態様にて前記タッチスクリーンに表示する制御部
を備える表示装置。
【請求項２】
前記入力操作が成されるよりも前に前記タッチスクリーンに表示されていた表示画像に含まれる表示要素の一覧を記憶する記憶部
を更に備え、
前記制御部は、前記タッチスクリーンに表示された表示画像に含まれる一の表示要素を選択するタッチ操作が前記タッチスクリーンに対して成された場合、前記タッチスクリーンに表示された表示画像に含まれる表示要素の一覧を前記記憶部に記憶し、前記入力操作が成された場合、前記記憶部に記憶されている表示要素の一覧を、前記表示画像における表示態様よりも各表示要素を指定し易い表示態様にて前記タッチスクリーンに表示する
請求項１に記載の表示装置。
【請求項３】
前記制御部は、前記タッチスクリーンに表示された表示画像に含まれる一の表示要素を選択するタッチ操作が前記タッチスクリーンに対して成された場合、前記表示画像に含まれる表示要素のうち、前記タッチスクリーンの表示画面上におけるタッチ操作が成された位置を含む範囲にある表示要素をの一覧を前記記憶部に記憶する
請求項２に記載の表示装置。
【請求項４】
前記制御部は、前記タッチスクリーンの表示画面上におけるタッチ操作が成された位置を含む範囲にある表示要素が１つしかない場合、当該表示要素の一覧を前記記憶部に記憶しない
請求項３に記載の表示装置。
【請求項５】
前記制御部は、前記表示要素の一覧を表示する際、前記表示画像における表示態様よりも各表示要素を指定し易い表示態様として、前記表示画像における表示態様よりも前記各表示要素を大きく表示する
請求項１から４のいずれか一項に記載の表示装置。
【請求項６】
前記制御部は、前記表示要素の一覧を表示する際、前記表示画像における表示態様よりも各表示要素を指定し易い表示態様として、前記表示画像における表示態様よりも前記各表示要素同士の間隔を広く表示する
請求項１から４のいずれか一項に記載の表示装置。
【請求項７】
前記制御部は、タッチスクリーン又は他の入力手段に対する所定の入力操作が成された場合、前記入力操作が成されるよりも前に前記タッチスクリーンに表示されていた表示画像がハイパーテキストであれば、当該ハイパーテキストに含まれるハイパーリンクの一覧を、当該各ハイパーリンクを指定し易い表示態様にて表示する
請求項１から５のいずれか一項に記載の表示装置。
【請求項８】
タッチスクリーン又は他の入力手段に対する所定の入力操作が成された場合に、前記入力操作が成されるよりも前に前記タッチスクリーンに表示されていた表示画像に含まれる表示要素の一覧を、前記表示画像における表示態様よりも各表示要素を指定し易い表示態様にて前記タッチスクリーンに表示する制御段階
を含む表示方法。
【請求項９】
コンピュータを、
タッチスクリーン又は他の入力手段に対する所定の入力操作が成された場合に、前記入力操作が成されるよりも前に前記タッチスクリーンに表示されていた表示画像に含まれる表示要素の一覧を、前記表示画像における表示態様よりも各表示要素を指定し易い表示態様にて前記タッチスクリーンに表示する制御部
として機能させるプログラム。
【請求項１０】
コンピュータを、
タッチスクリーン又は他の入力手段に対する所定の入力操作が成された場合に、前記入力操作が成されるよりも前に前記タッチスクリーンに表示されていた表示画像に含まれる表示要素の一覧を、前記表示画像における表示態様よりも各表示要素を指定し易い表示態様にて前記タッチスクリーンに表示する制御部
として機能させるプログラムを記録した記録媒体。
【発明の詳細な説明】
【技術分野】
【０００１】
本発明は、表示装置、表示方法、プログラム及び記録媒体に関する。
【背景技術】
【０００２】
本発明に関連する技術としては、様々なものが知られている（例えば、特許文献１〜４参照。）。
【０００３】
例えば、特許文献１には、インターネット上の複数のサイトのＵＲＬ（Ｕｎｉｆｏｒｍ  Ｒｅｓｏｕｒｃｅ  Ｌｏｃａｔｏｒ）を記憶可能なブックマーク機能を備えた携帯電話機が記載されている。より具体的に説明すると、この携帯電話機は、ブックマークに登録されているＵＲＬから任意のＵＲＬを選択するための選択画面を表示し、ユーザによって選択されたＵＲＬを特定のＵＲＬとして保持する。そして、この携帯電話機は、特定キーが操作されたときに、特定のＵＲＬとして保持されているＵＲＬがあるときには、そのＵＲＬのみをブックマークから抽出して表示する。また、この携帯電話機は、特定のＵＲＬとして保持されているＵＲＬがないときには、最近ブックマークに登録された数件のＵＲＬを表示する。そして、この携帯電話機は、特定キーが操作されたときに、ブックマークに少なくとも１つ以上のＵＲＬが登録されていないときには、所定のメッセージを表示する。このようにして、この携帯電話機によっては、ユーザは、特定キーを操作するのみで特定のＵＲＬのみを表示させることができる。
【０００４】
また、例えば、特許文献２には、通信回線を経由して他の端末装置から取得した情報を表示可能な携帯通信端末等の通信端末装置が記載されている。より具体的に説明すると、この通信端末装置は、通信回線を経由して取得した情報を記憶する。そして、この通信端末装置は、通信回線を経由して取得した情報中に、関連情報を呼び出すためのリンク情報が含まれているときに、リンク情報以外の情報を削除したリンク一覧を生成する。その際、この通信端末装置は、リンク一覧には、操作によって読み出して表示し得る情報へのリンク情報が含まれないように、リンク一覧を生成する。そして、この通信端末装置は、リンク一覧を表示する。このようにして、この通信端末装置によっては、無線通信機の使用者が容易にリンク情報を参照することができると共に、リンク情報を短く表示することができ、リンク情報を簡単に探すことが可能となる。
【０００５】
また、例えば、特許文献３には、表示部の前面に設けられたタッチスクリーンを備えた携帯情報端末の制御方法が記載されている。より具体的に説明すると、この携帯情報端末の制御方法は、タッチスクリーンに対して特別の操作態様で操作されたか否かを判断する。そして、この携帯情報端末の制御方法は、タッチスクリーンに対して操作が成された位置を特定する。そして、この携帯情報端末の制御方法は、特別の操作態様で操作されたと判断した場合に、タッチスクリーンに対する操作位置に対応する表示部の箇所の表示態様が変化するように、表示部の全体に対応する表示内容を変換する。その際、この携帯情報端末の制御方法は、表示部の表示内容を、少なくとも人の指の幅と想定される寸法だけ全体的にシフトさせることにより表示内容の変換を実現する。そして、この携帯情報端末の制御方法は、操作が成された位置をタッチスクリーンにおける所定の一方側の領域であると特定すると、表示内容を所定の他方側の方向にシフトさせる。また、この携帯情報端末の制御方法は、操作が成された位置を所定の他方側の領域であると特定すると、表示内容を所定の一方側の方向にシフトさせる。そして、この携帯情報端末の制御方法は、特別の操作態様による操作が開始された位置に所定の情報を表示させた状態で、表示内容をシフトさせる。このようにして、この携帯情報端末の制御方法によっては、ユーザが確実にタッチスクリーン上の所望の箇所を操作することができる。
【０００６】
また、例えば、特許文献４には、タッチスクリーンの操作と表示部又は端末装置の振動操作等とを有効に組み合わせて、機能選択及び機能の実行等を容易に行わせる端末装置が記載されている。より具体的に説明すると、この端末装置は、表示オブジェクトが表示される表示手段への接触操作を検出する。そして、この端末装置は、検出された接触操作の対象となる表示オブジェクトを判別する。そして、この端末装置は、表示手段又は端末装置自体の動きを検出する。そして、この端末装置は、動きが検出された場合に、判別された表示オブジェクトに対応する処理内容を選択する。このようにして、この端末装置によっては、表示部に対する接触操作と表示部又は端末装置の振動や傾き操作とを有効に組み合わせることで、所望の表示オブジェクトを選択できるばかりか実行すべき機能も極めて容易に選択可能である。
【先行技術文献】
【特許文献】
【０００７】
【特許文献１】特許第３６５２９８１号公報
【特許文献２】特許第３８３４２５３号公報
【特許文献３】特許第５１１０５８８号公報
【特許文献４】特開２０１１−２２１８６３号公報
【発明の概要】
【発明が解決しようとする課題】
【０００８】
ところで、タブレット端末においては、複数のハイパーリンクが隣接しているような場合、所望のハイパーリンクではなく、他のハイパーリンクに誤って触れて選択操作してしまうことがある。
【０００９】
このような場合、ユーザは、誤って選択したハイパーリンクに関連付けられたリンク先へ表示が遷移した後に、元の表示へ戻す操作を行い、再度、所望のハイパーリンクを選択操作することになる。そのため、ユーザの利便性は、損なわれてしまう。
【００１０】
また、このような操作は、リンク先の情報がネットワークを介して取得されるような場合、意図しないリンク先の情報を取得し、リンク元の情報を再取得することにより、トラフィックを増加させることにもなる。
【００１１】
特許文献１〜４に記載の発明によっては、このような課題を解決することができない。
【００１２】
本発明の目的は、上述した課題を解決する表示装置、表示方法、プログラム及び記録媒体を提供することにある。
【課題を解決するための手段】
【００１３】
上記課題を解決するために、本発明の第１の形態によると、表示装置であって、タッチスクリーン又は他の入力手段に対する所定の入力操作が成された場合に、入力操作が成されるよりも前にタッチスクリーンに表示されていた表示画像に含まれる表示要素の一覧を、表示画像における表示態様よりも各表示要素を指定し易い表示態様にてタッチスクリーンに表示する制御部を備える。
【００１４】
本発明の第２の形態によると、表示方法であって、タッチスクリーン又は他の入力手段に対する所定の入力操作が成された場合に、入力操作が成されるよりも前にタッチスクリーンに表示されていた表示画像に含まれる表示要素の一覧を、表示画像における表示態様よりも各表示要素を指定し易い表示態様にてタッチスクリーンに表示する制御段階を含む。
【００１５】
本発明の第３の形態によると、プログラムであって、コンピュータを、タッチスクリーン又は他の入力手段に対する所定の入力操作が成された場合に、入力操作が成されるよりも前にタッチスクリーンに表示されていた表示画像に含まれる表示要素の一覧を、表示画像における表示態様よりも各表示要素を指定し易い表示態様にてタッチスクリーンに表示する制御部として機能させる。
【００１６】
本発明の第４の形態によると、記録媒体であって、コンピュータを、タッチスクリーン又は他の入力手段に対する所定の入力操作が成された場合に、入力操作が成されるよりも前にタッチスクリーンに表示されていた表示画像に含まれる表示要素の一覧を、表示画像における表示態様よりも各表示要素を指定し易い表示態様にてタッチスクリーンに表示する制御部として機能させるプログラムを記録した。
【００１７】
なお、上記の発明の概要は、本発明の必要な特徴の全てを列挙したものではない。また、これらの特徴群のサブコンビネーションもまた、発明となり得る。
【発明の効果】
【００１８】
以上の説明から明らかなように、この発明によっては、例えば、タッチスクリーンに表示された所望の表示要素とは異なる表示要素に誤って触れて表示画像が遷移しても、元の表示画像に戻さずに、所望の表示要素をより選択し易い態様にて選択させることができる。
【図面の簡単な説明】
【００１９】
【図１】一実施形態に係るタブレット端末１００の形態の一例を示す図である。
【図２】タブレット端末１００のハードウェア構成の一例を示す図である。
【図３】本発明の実施状態を示す図である。
【図４】本発明の実施状態を示す図である。
【図５】動作の説明を示す図である。
【図６】リンクのタッチ操作前の実施形態を示す図である。
【図７】１回目のリンクのタッチ操作後の実施形態を示す図である。
【発明を実施するための形態】
【００２０】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２１】
図１は、一実施形態に係るタブレット端末１００の形態の一例を示す。図２は、タブレット端末１００のブロック構成の一例を示す。タブレット端末１００は、コンピュータの分類の一つで、板状の筐体の片面が触れて操作できる液晶画面になっており、ほとんどの操作を画面に指を触れて行うタイプの装置である。なお、タブレット端末１００は、この発明における「表示装置」の一例であってもよい。
【００２２】
タブレット端末１００は、図示しないメモリインタフェースと、図示しないデータプロセッサや図示しない画像プロセッサやプロセッサ１３０と、図示しない周辺インタフェースとを含むことができる。メモリインターフェースやプロセッサ１３０や周辺インタフェースは、個別部品であってもよいし、集積回路に統合されてもよい。タブレット端末１００の様々な構成要素は、例えば、通信バス又は信号線によって接続されてもよい。なお、プロセッサ１３０は、この発明における「制御部」の一例であってもよい。
【００２３】
タブレット端末１００においては、センサ、機器、サブシステムが、多数の機能を容易にするため、周辺インタフェースに接続されてもよい。センサは、例えば、図示しない角速度センサ、図示しない磁力計センサである。タブレット端末１００においては、地理的位置を提供するために、図示しない位置プロセッサを周辺インタフェースに接続することができる。タブレット端末１００においては、タブレット端末１００の速度変化や移動方向の変化を判定するために使用可能なデータを提供するため、図示しない加速度計もまた周辺インタフェースに接続することができる。
【００２４】
タブレット端末１００においては、図示しないカメラサブシステム、及び図示しない光学センサ、例えば、電荷結合素子又は相補型金属酸化物半導体光学センサを、写真やビデオクリップの記録のようなカメラ機能を補助するために用いてもよい。
【００２５】
タブレット端末１００は、無線周波数受信機及び送信機や光学受信機及び送信機を含むことができる無線通信サブシステム１５０を通じて、通信機能が補助されてもよい。無線通信サブシステム１５０の具体的な設計及び実装は、タブレット端末１００が動作しようとする通信ネットワークに依存するものであってもよい。例えば、タブレット端末１００は、ＧＳＭ（登録商標）ネットワーク、ＧＰＲＳ（Ｇｅｎｅｒａｌ  Ｐａｃｋｅｔ  Ｒａｄｉｏ  Ｓｅｒｖｉｃｅ）ネットワーク、ＥＤＧＥ（Ｇｎｈａｎｃｅｄ  Ｄａｔａ  ＧＳＭ  Ｅｎｖｉｒｏｎｍｅｎｔ）ネットワーク、Ｗｉ−Ｆｉ（Ｗｉｒｅｌｅｓｓ  Ｆｉｄｅｌｉｔｙ）ネットワーク及びブルートゥース（登録商標）ネットワークを通じて動作するように設計された無線通信サブシステム１５０を含むことができる。
【００２６】
また、タブレット端末１００は、タッチスクリーン１１０、複数の他の入力／制御機器１２０ａ〜１２０ｃ（以下、他の入力／制御機器１２０と総称する。）及びメモリ１４０を備える。なお、他の入力／制御機器１２０は、この発明における「他の入力手段」の一例であってもよい。
【００２７】
タブレット端末１００の使用者からの命令はタッチスクリーン１１０及び他の入力／制御機器１２０より入力される。インターネット閲覧等で通信を行う場合はタッチスクリーン１１０及び他の入力／制御機器１２０からプロセッサ１３０へ命令が伝達され、無線通信サブシステム１５０を介して通信が行われる。メモリ１４０には電話帳の情報やリンク情報が格納される。
【００２８】
本発明の実施状態を図３、４に示す。Ｗｅｂサイト閲覧時に、別ページへのリンクを選択するタッチ操作が成されると、タッチ操作したリンクを中心したリンク記憶窓２３の範囲を記憶部に記憶する。リンク記憶窓２３のサイズは予め設定できるものとする。図３は例としてリンク（８）をタッチ操作した場合の図を示しており、リンク（４）〜リンク（１２）までを記憶部に記憶する。タッチスクリーン１１０又は他の入力／制御機器１２０に対して、リンク一覧表示呼び出し操作を行うことで、記憶部に格納したリンクの一覧を予め決められたフォントサイズでタッチスクリーン１１０に表示する。一覧表示するリンクのフォントサイズは、タッチ操作を容易にするため大きなフォントサイズが望ましい。また、一覧表示するリンク同士の間隔は、タッチ操作を容易にするため広い間隔が望ましい。リンク一覧を表示した状態を図４に示している。なお、タッチスクリーン１１０に表示されているＷｅｂサイトは、この発明における「表示画像」及び「ハイパーテキスト」の一例であってもよい。また、リンクは、この発明における「表示要素」及び「ハイパーリンク」の一例であってもよい。また、リンク一覧表示呼び出し操作は、この発明における「所定の入力操作」の一例であってもよい。また、大きなフォントサイズ、及び広い間隔は、この発明における「各表示要素を指定し易い表示態様」の一例であってもよい。また、リンク同士の間隔は、この発明における「表示要素同士の間隔」の一例であってもよい。
【００２９】
動作の説明を図５に示す。タブレット端末１００は使用者の操作によりＷｅｂサイト表示を行う。
【００３０】
使用者がタッチスクリーン１１０に表示されたＷｅｂサイトにある別ページへのリンクをタッチ操作すると、表示画面上におけるタッチ操作が成された位置を中心として、予め設定されたリンク記憶窓２３の範囲内の他のリンクを検出し、他のリンクがあればメモリ１４０にリンク情報を格納する。
【００３１】
タッチスクリーン１１０はタッチ操作されたリンクの情報に従い画面遷移を行う。タッチ操作したリンクが誤りであった場合、画面遷移後、使用者がタッチスクリーン１１０、又は他の入力／制御機器１２０にて、リンク一覧表示呼び出し操作を行うことでメモリ１４０に格納したリンク一覧を、予め設定されたフォントサイズで表示する。一覧表示するフォントサイズは、タッチ操作を容易にするため大きなフォントサイズが望ましい。
【００３２】
使用者は大きなフォントで一覧表示されている中から、正しいリンクを容易にタッチ操作することができる。
【００３３】
リンク記憶窓２３の範囲は、使用者により設定できるものとする。リンク一覧表示呼び出し操作により表示されるリンク一覧の文字フォントサイズは、使用者により設定できるものとする。
【００３４】
リンクのタッチ操作時に１回目のタッチ操作でリンク記憶窓２３内の表示を拡大し、２回目のタッチ操作でリンク先への画面遷移を行う場合についても権利に含む。図６にリンクのタッチ操作前、図７に１回目のリンクのタッチ操作後の実施形態を示す。
【００３５】
以上、説明したように、タッチ操作したリンクを中心とした予め決められた範囲の他のリンクを記憶し一覧表示することで、誤って隣のリンクを押した場合でも、表示を戻す動作を行うことなく一覧表示を呼び出すことで正しいリンクを容易に押すことができる。
【００３６】
また、記憶したリンク情報一覧を予め設定されたフォントサイズで一覧表示することで、表示の拡大縮小操作をすることなく、正しいリンクを押すことができる。
【００３７】
また、本発明により表示を戻す操作が不要となり、無駄な通信トラフィックを削減できる。
【００３８】
タブレット端末１００は、予めファームウェアとして格納された処理プログラムを読み出して実行することで、表示装置として機能する。
【００３９】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００４０】
特許請求の範囲、明細書及び図面中において示したシステム、方法、装置、プログラム及び記録媒体における動作、手順、ステップ及び段階等の各処理の実行順序は、特段「より前に」、「先立って」等と明示していない。また、前の処理の出力を後の処理で用いるのでない限り、任意の順序で実現し得ることに留意すべきである。特許請求の範囲、明細書及び図面中の動作フローに関して、便宜上「まず、」、「次に、」等を用いて説明したとしても、この順で実施することが必須であることを意味するものではない。
【符号の説明】
【００４１】
１００  タブレット端末
１１０  タッチスクリーン
１２０  他の入力／制御機器
１３０  プロセッサ
１４０  メモリ
１５０  無線通信サブシステム
【図１】
2015095140.tif 000003
【図２】
2015095140.tif 000004
【図３】
2015095140.tif 000005
【図４】
2015095140.tif 000006
【図５】
2015095140.tif 000007
【図６】
2015095140.tif 000008
【図７】
2015095140.tif 000009